(57)【特許請求の範囲】
【請求項１】
ベースと、ベース上に設けられた支持体と、対物レンズを保持するレンズホルダと、前記レンズホルダを前記支持体に対して微動自在に支持する弾性支持部材と、前記レンズホルダを少なくとも前記対物レンズの光軸方向へ微駆動させる駆動手段と、が設けられた光ピックアップにおいて、
前記ベースには樹脂製の緩衝部材が取付けられており、前記緩衝部材には、前記ベースの表面に対して間隔を開けて位置し且つ前記ベース方向へ向けて変形可能な受け部が形成されており、前記レンズホルダが前記受け部に当接可能とされており、
前記駆動手段は、ベース上で平行に対向するヨークと、このヨークに取付けられたマグネットと、前記レンズホルダに設けられて前記マグネットから発せられる磁界を横断する位置に設けられたコイルとから構成されており、前記緩衝部材は、前記平行に対向するヨークとヨークの間に挿入されて位置決めされていることを特徴とする光ピックアップ。
【請求項２】
前記緩衝部材の前記受け部は薄肉に形成されており、この薄肉の受け部がベース上で間隔を開けて位置している請求項１記載の光ピックアップ。
【請求項３】
前記緩衝部材には、対を成す突起が設けられ、前記対を成す突起で前記ヨークがその長辺の両側から挟嵌合されている請求項１または２記載の光ピックアップ。
【請求項４】
前記ヨークに支持されているマグネットが、緩衝部材の上に載せられて、マグネットの位置が決められている請求項１ないし３のいずれかに記載の光ピックアップ。
【発明の詳細な説明】
【０００１】
【発明の属する技術分野】
本発明は、外部振動や衝撃などでレンズホルダが動いてベースに当たったときの衝撃音を緩和できるようにした光ピックアップに関する。
【０００２】
【従来の技術】
図８は、従来の光ピックアップ２０を示す断面図である。前記光ピックアップ２０は、ＣＤ（コンパクト・ディスク）、ＤＶＤ（ディジタル・バーサタイル・ディスク）、ＭＤ（ミニ・ディスク）ドライブなどの光ディスク装置に搭載される。
【０００３】
光ピックアップ２０は、ベース１と、支持体２と、レンズホルダ３とを有している。ベース１は、金属板から折り曲げられて成形され、一対のヨーク６，６が一体に形成されている。前記ヨーク６とヨーク６は互いに平行に対面するように形成されている。
【０００４】
ベース１上には、合成樹脂などで形成された支持体２が固定されている。支持体２には、４本のワイヤ５を介してレンズホルダ３が片持ち状態で支持されている。レンズホルダ３には、対物レンズ４が保持されている。
【０００５】
また光ピックアップ２０には、駆動手段１１が設けられている。この駆動手段１１は、ムービングコイル方式であり、レンズホルダ３に、フォーカシングコイル８とトラッキングコイル９が固定されている。また前記ヨーク６とヨーク６の対向面にはマグネット７ａ，７ｂが固定されている。そして前記フォーカシングコイル８とトラッキングコイル９は前記マグネット７ａとマグネット７ｂとの間に位置している。
【０００６】
前記フォーカシングコイル８に与えられる補正電流により、レンズホルダ３がフォーカシング方向（上下方向）へ微駆動され、前記トラッキングコイル９に与えられる補正電流により、レンズホルダ３がトラッキング方向（紙面垂直方向）へ微駆動される。
【０００７】
【発明が解決しようとする課題】
しかしながら、この種の光ピックアップ２０では、外部振動や衝撃が与えられたとき、またはレンズホルダ３がフォーカシング方向へ駆動されているときに外部振動が作用したようなときに、レンズホルダ３が下側へ大きく動作して、レンズホルダ３の底面がベース１に衝撃的に当たり、ラットルノイズ（「カチカチ」という音）が発生する問題がある。
【０００８】
従来のラットルノイズの防止対策として、ベース１上の前記レンズホルダ３の底面が当たる位置に樹脂製のシートを貼る方法が採られていた。しかし、前記樹脂製のシートを単に貼る方法では、レンズホルダ３の底部がシートに衝突したときのエネルギーを充分に吸収することができずラットルノイズの発生を充分に防止することができなかった。
【０００９】
しかも前記シートは従来ベース１の上に単に接着されていただけであるため、剥がれ易く、またシートを貼るときに接着剤がシート周辺に漏れ出してレンズホルダ３が貼り付いてしまうという問題も生じていた。
【００１０】
本発明は、上記課題を解決するものであり、レンズホルダがベースに当たるときのラットルノイズを防止することができる光ピックアップを提供することを目的とする。
【００１１】
また本発明は、ベース上に緩衝部材を確実に位置決めして取付けることができるようにした光ピックアップを提供することを目的としている。
【００１２】
【課題を解決するための手段】
本発明は、ベースと、ベース上に設けられた支持体と、対物レンズを保持するレンズホルダと、前記レンズホルダを前記支持体に対して微動自在に支持する弾性支持部材と、前記レンズホルダを少なくとも前記対物レンズの光軸方向へ微駆動させる駆動手段と、が設けられた光ピックアップにおいて、
前記ベースには樹脂製の緩衝部材が取付けられており、前記緩衝部材には、前記ベースの表面に対して間隔を開けて位置し且つ前記ベース方向へ向けて変形可能な受け部が形成されており、前記レンズホルダが前記受け部に当接可能とされており、
前記駆動手段は、ベース上で平行に対向するヨークと、このヨークに取付けられたマグネットと、前記レンズホルダに設けられて前記マグネットから発せられる磁界を横断する位置に設けられたコイルとから構成されており、前記緩衝部材は、前記平行に対向するヨークとヨークの間に挿入されて位置決めされていることを特徴とするものである。
【００１３】
本発明では、ベース上に設けられた樹脂製の緩衝部材の受け部が、前記ベースの表面と間隔を開けて設けられている。レンズホルダが大きく動き、レンズホルダが前記受け部に当たったときに、受け部がベース方向へ弾性変形することで、衝撃音を緩和でき、ラットルノイズを防止できる。
【００１４】
例えば、前記緩衝部材の前記受け部は薄肉に形成されており、この薄肉の受け部がベース上で間隔を開けて位置している。または図７に示すように、ベースに凹部が形成されて、この凹部の上に緩衝部材の受け部が間隔を開けて位置していてもよい。
【００１６】
前記緩衝部材をヨークとヨークの間に位置決めすることにより、ベース上での緩衝部材の位置ずれが生じにくくなり、例えば緩衝部材を接着しなくてもよく、また接着するとしても接着剤を必要以上に多く塗布する必要がない。
【００１７】
また、前記緩衝部材には、対を成す突起が設けられ、前記対を成す突起で前記ヨークがその長辺の両側から挟嵌合されていることが好ましい。
【００１８】
ヨークの長辺の両側に緩衝部材が挟嵌合されていることにより、ヨークとヨークとの間に緩衝部材を挟んでもヨークが変形することがなく、ヨークとヨークとの平行関係が狂うことがない。
【００１９】
また、前記ヨークに支持されているマグネットが、緩衝部材の上に載せられて、マグネットの位置が決められるようにすることも可能である。
【００２０】
【発明の実施の形態】
図１は本発明の光ピックアップを示す断面図、図２は斜視図、図３は分解斜視図、図４は緩衝部材の斜視図、図５は緩衝部材がベースに取付けられた状態を示す側面図、図６は緩衝部材がヨーク間に取付けられた状態を示す平面図である。
【００２１】
本発明の光ピックアップ１０のベース１は、鋼板から折り曲げ形成されたものであり、その中央部にはヨーク６ａ，６ｂが形成されている。このヨーク６ａ，６ｂは互いにほぼ平行に対面するように折り曲げ形成されている。
【００２２】
支持体２は合成樹脂製であり前記ベース１上に固定されている。この支持体２あるいは支持体２に固定されたフレキシブル基板（図示せず）等の部材には弾性支持部材として４本の金属ワイヤ５の基端部が支持されている。ワイヤ５の先端部には、レンズホルダ３が片持ち状態で支持されている。レンズホルダ３はポリプロピレンなどの樹脂からなり、前記支持体２とは反対側に対物レンズ４を保持している。このレンズホルダ３は、前記ワイヤ５によって、対物レンズ４の光軸方向（フォーカス補正方向）と、これと直交するトラッキング補正方向へ微動自在である。
【００２３】
前記ヨーク６ａと６ｂとの間に緩衝部材１２が挿入されて、この緩衝部材１２はベース１上に設置されている。
【００２４】
前記緩衝部材１２は、弾力性があり、レンズホルダ３がフォーカシング方向に動いて接触したときに緩衝部材１２に貼り付かない程度の低粘着性を有する樹脂で形成されており、例えば、ポリアセトアミド（ＰＯＭ）、ポリプロピレン（ＰＰ）、ナイロンなどが挙げられるが、これらの樹脂に限られるものではない。
【００２５】
緩衝部材１２の形状は、図４に示すように、板部材１２ａの両縁部に４つの挟持突起１３ａ，１３ａ，１３ｂ，１３ｂが一体に形成されている。板部材１２ａの長手方向両端部は、図５に示すように、中央部分よりも薄い薄肉部１２ｃとなっており、緩衝部材１２がベース１に取り付けられたときに、ベース１の上面（ヨーク６ａとヨーク６ｂとの間でのベース１の上面）と緩衝部材１２の下面との間に間隙１２ｄ，１２ｄが形成される。また前記薄肉部１２ｃを除く板部材１２ａの下面１２ｅは、ベース１の上面と密着する。図５に示すように、レンズホルダ３の下面には突起３ａ，３ａが形成されているが、前記薄肉部１２ｃ，１２ｃが前記突起３ａ，３ａと当たる受け部になっている。
【００２６】
挟持突起１３ａ，１３ａ，１３ｂ，１３ｂは、その一部が板部材１２ａより外方へ突出している。また挟持突起１３ａと１３ａ、および挟持突起１３ｂと１３ｂは、板部材１２ａの長手方向に所定間隔を開けて対向している。図５に示すように、挟持突起１３ａ，１３ａ，１３ｂ，１３ｂの下面は前記板部材１２ａの中央部分の下面１２ｅと同一平面上にあり、挟持突起１３ａ，１３ａ，１３ｂ，１３ｂの上面は前記板部材１２ａよりも上側へ突出している。前記挟持突起１３ａと１３ａ、挟持突起１３ｂと１３ｂとの対向側面には、挟持爪１３ａ１，１３ａ１と１３ｂ１，１３ｂ１が一体に形成されている。
【００２７】
図３に示すように、上記の緩衝部材１２は、ベース１に形成されたヨーク６ａと６ｂとの間に挿入され、且つベース１の下端に当接するまで挿入される。このとき、前記挟持突起１３ａと１３ａの挟持爪１３ａ１，１３ａ１により、ヨーク６ａの長手方向の両端部が挟圧され、同様に挟持突起１３ｂ，１３ｂの挟持爪１３ｂ１，１３ｂ１によりヨーク６ｂの長手方向の両端部が挟圧される。
【００２８】
すなわち、図６に示すように、緩衝部材１２が装着されていないとき、前記挟持突起１３ａと１３ａとの距離、ならびに挟持突起１３ｂと１３ｂとの距離はｔ１である。一方、ヨーク６ａ（６ｂ）の長手方向の長さはｔ２であり、前記ｔ１＜ｔ２である。これにより、前記緩衝部材１２をヨーク６ａと６ｂの間に装着するときに、挟持突起１３ａと１３ａとの間、ならびに挟持突起１３ｂと１３ｂとの間の距離が広がり、前記挟持爪１３ａ１，１３ａ１と、挟持爪１３ｂ１，１３ｂ１とで、ヨーク６ａおよび６ｂの長手方向の両端部が挟嵌合される。
【００２９】
また図６に示すように、前記緩衝部材１２の幅寸法をｗ１とし、ヨーク６ａの内側面とヨーク６ｂの内側面との間のギャップをｗ２とすると、ｗ２＞ｗ１の関係である。これにより、前記緩衝部材１２をヨーク６ａと６ｂとの間に挿入されて装着したときに、前記緩衝部材１２によってヨーク６ａと６ｂとの間のギャップ（ｗ２）が無理に広げられることが防止される。すなわち、緩衝部材１２は、前記挟持爪１３ａ１，１３ａ１と、挟持爪１３ｂ１，１３ｂ１の挟嵌合によってのみベースに位置決めされて且つ固定されている。
【００３０】
よって、ヨーク６ａとヨーク６ｂの平行状態を確保でき、また接着剤を用いなくても、緩衝部材１２をベース１上に位置決めおよび固定することができる。
【００３１】
前記レンズホルダ３をフォーカス補正方向およびトラッキング補正方向へ駆動するための補正駆動手段は、マグネット７ａ，７ｂならびに、フォーカシングコイル８とトラッキングコイル９で構成されている。
【００３２】
前記マグネット７ａ，７ｂは前記ヨーク６ａ，６ｂの対向面にそれぞれ磁気吸着により固定される。あるいはマグネット７ａ，７ｂがヨーク６ａ，６ｂに接着固定される。このときマグネット７ａ，７ｂの下面を、前記緩衝部材１２の上面に突き当てながらヨーク６ａ，６ｂに固定することにより、マグネット７ａ，７ｂは、ヨーク６ａ，６ｂに対して正確に位置決めできる。
【００３３】
すなわち、この実施の形態では、ヨーク６ａとヨーク６ｂとの間に緩衝部材１２を挟んだときに、緩衝部材１２の位置決めができるが、ヨーク６ａとヨーク６ｂとの間の平行度が損なわれることがない。しかもマグネット７ａ，７ｂは、緩衝部材１２上で上下方向の位置が決められるため、マグネット７ａとマグネット７ｂは互いの対向状態に狂いを生じることなく平行に設置されることになる。
【００３４】
さらに、前記レンズホルダ３の基端部の枠３ｂ内には、フォーカシングコイル８とトラッキングコイル９とが一体に設けられたコイルが装着される。レンズホルダ３がベース１に取付けられると、フォーカシングコイル８およびトラッキングコイル９が、マグネット７ａと７ｂとの対向ギャップ内に挿入される。
【００３５】
上記のように形成された光ピックアップ１０は、フォーカシングコイル８に補正電流が与えられると、レンズホルダ３がフォーカシング方向へ微駆動され、前記トラッキングコイル９に補正電流が与えられると、レンズホルダ３がトラッキング方向へ微駆動される。
【００３６】
また、レンズホルダ３がフォーカシング方向へ駆動する際に、回路暴走などでフォーカシングコイル８に過大な電流が与えられることがあり、さらに車載用の場合などでは、車体振動や衝撃などにより、レンズホルダ３が上下に大きく振れることがある。図５に示すように、レンズホルダ３の下面に形成された突起（レンズホルダ・ボス）３ａ，３ａが緩衝部材１２の薄肉部１２ｃ，１２ｃに対向しているため、レンズホルダ３が上下に大きく振れたときに、前記突起３ａ，３ａが緩衝部材１２の前記薄肉部１２ｃ，１２ｃに当たる。前記薄肉部１２ｃ，１２ｃとベース１との間には間隙１２ｄ，１２ｄが形成されているため、前記突起３ａ，３ａが当たったときに、薄肉部１２ｃ，１２ｃが下方へ撓む。よって、突起３ａ，３ａが当たったときの衝撃を緩和でき、ラットルノイズをなくし、またはきわめて低減することができる。
【００３７】
図７は本発明の光ピックアップの変形例を示している。このものでは、ベース１の中央部に隆起部１ａが形成されており、厚さが一様な樹脂板で形成された緩衝部材１２が前記隆起部１ａの上面に固定されている。よって、緩衝部材１２の両端部とベース１との間には間隙１２ｄ，１２ｄが形成される。前記緩衝部材１２の両端部が受け部となり、この受け部にレンズホルダ３の突起３ａ，３ａが当接する。
【００３８】
また、緩衝部材１２とベース１との間に形成される間隙１２ｄに、ゴムなどの弾性部材やシリコンなどの粘弾性材料を介在させて、さらに緩衝効果を向上させてもよい。
【００３９】
【発明の効果】
以上説明したように本発明は、ラットルノイズの発生を有効に防止することができる。しかも接着剤等を用いなくても緩衝部材を確実に装着することも可能である。よって製造工程等において緩衝部材を正確に位置決めすることができ、また接着剤が漏れ出てレンズホルダなどが不用意に接着されることも防止できる。
【図面の簡単な説明】
【図１】本発明の光ピックアップを示す断面図、
【図２】本発明の光ピックアップを示す斜視図、
【図３】本発明の光ピックアップを示す分解斜視図、
【図４】緩衝部材を示す斜視図、
【図５】レンズホルダと緩衝部材との位置関係を示す側面図、
【図６】緩衝部材がヨークに装着されている状態を示す平面図、
【図７】本発明の他の実施の形態を示す側面図、
【図８】従来の光ピックアップを示す断面図、
【符号の説明】
１  ベース
２  支持体
３  レンズホルダ
３ａ  突起
４  対物レンズ
５  ワイヤ
６ａ，６ｂ  ヨーク
７ａ，７ｂ  マグネット
８  フォーカシングコイル
９  トラッキングコイル
１０  光ピックアップ
１２  緩衝部材
１２ａ  板部材
１２ｃ  薄肉部
１２ｄ  間隙
１３ａ，１３ｂ  挟持突起
１３ａ１，１３ｂ１  挟持爪
【図１】
0004011239.tif 000002
【図２】
0004011239.tif 000003
【図３】
0004011239.tif 000004
【図４】
0004011239.tif 000005
【図５】
0004011239.tif 000006
【図６】
0004011239.tif 000007
【図７】
0004011239.tif 000008
【図８】
0004011239.tif 000009